(57)【要約】【課題】  安価に製造することができ、下方を明るく照らすことができて、眩しさが生じない浴室用ブラケット照明を提供する。【解決手段】  光源３を覆うグローブ４が、手前側の光線反射率の高い着色部６と、壁Ｗ側の光線透過率の高い透明部５とで構成されてなる浴室用ブラケット照明１において、着色部６と透明部５は、側面から見て、斜め直線状の分割面７で接合されており、着色部６は下部から上部に向かって面積が増大し、透明部５は上部から下部に向かって面積が増大するように構成されている。【選択図】  図３
2005327639.tif 000002
【特許請求の範囲】
【請求項１】
光源を覆うグローブが、手前側の光線反射率の高い着色部と、壁側の光線透過率の高い透明部とで構成されてなる浴室用ブラケット照明において、前記着色部と前記透明部は、側面から見て、斜め直線状の分割面で接合されて、前記着色部は下部から上部に向かって面積が増大し、前記透明部は上部から下部に向かって面積が増大するように構成されていることを特徴とする浴室用ブラケット照明。
【請求項２】
前記着色部の上面が、略水平な平面状に形成されていることを特徴とする請求項１に記載の浴室用ブラケット照明。
【請求項３】
光源を覆うグローブが、着色部と、透明部とで構成されてなる浴室用ブラケット照明であって、前記グローブは有底筒形状をしており、前記着色部と前記透明部とが、底面に対して傾斜した面により接合されていることを特徴とする浴室用ブラケット照明。
【発明の詳細な説明】
【技術分野】
【０００１】
本発明は、浴室の壁面に設置される浴室用ブラケット照明に関するものである。
【背景技術】
【０００２】
従来、浴室内の壁面に設置される浴室用ブラケット照明では、眩しさを感じることなく、しかも下方を明るく照らすことができるように工夫されており、特許文献１（図１０）に開示されているように、下面に透明な窓５１を設けて構成したり、また特許文献２（図１１）に開示されているように、内部に下向きに反射板５２を設けたり、更には特許文献３に開示されているように、グローブの前面部と側面部が２色成形で一体形成されたものが存在する。
【特許文献１】特開２００４−７１４０８号公報
【特許文献２】特許第２９３７０９３号公報
【特許文献３】特開２００３−１５１３２４号公報
【発明の開示】
【発明が解決しようとする課題】
【０００３】
従来のように、下面に下向きに透明な窓５１を設ける構成では、窓成形型のような複雑な金型が必要となり、コストが高くなってしまうという問題点があった。
同様に、内部に反射板５２を設ける構成においては、反射板５２のような別部材が必要となり、やはりコストが増大してしまうという問題点があった。
また、２色成形で製造されるものでは、更に製造コストが高くなるという問題点があった。
【課題を解決するための手段】
【０００４】
本発明は上記従来の問題点に鑑み案出したものであって、反射板のような別部材が不要となり、簡単な金型でコストを低減させて製造することのできる浴室用ブラケット照明を提供するものであり、その請求項１は、光源を覆うグローブが、手前側の光線反射率の高い着色部と、壁側の光線透過率の高い透明部とで構成されてなる浴室用ブラケット照明において、前記着色部と前記透明部は、側面から見て、斜め直線状の分割面で接合されて、前記着色部は下部から上部に向かって面積が増大し、前記透明部は上部から下部に向かって面積が増大するように構成されていることである。
また請求項２は、前記着色部の上面が、略水平な平面状に形成されていることである。
また請求項３は、光源を覆うグローブが、着色部と、透明部とで構成されてなる浴室用ブラケット照明であって、前記グローブは有底筒形状をしており、前記着色部と前記透明部とが、底面に対して傾斜した面により接合されていることである。
【発明の効果】
【０００５】
本発明の浴室用ブラケット照明は、グローブを構成する着色部と透明部とが、側面から見て、斜め直線状の分割面で接合されて、着色部は下部から上部に向かって面積が増大し、透明部は上部から下部に向かって面積が増大するように構成されていることにより、着色部が光を遮り眩しさを抑えることができ、また着色部により反射された光は、透明部より下方側に向かい、下方を明るく照らすことができ、洗い場での作業等がし易いものとなる。
また、着色部と透明部は、直線状の分割面であるため、この分割面に容易に接着剤等を塗布して両者を接合することができ、製造が容易なものとなる。
また、内部に反射板のような別部材を設ける必要がなく、複雑な金型を必要とせず、コストを抑えて製造することができるものとなる。
【０００６】
また、着色部の上面が、略水平な平面状に形成されていることにより、上面が平面状であるため、光源からの光を下方へ向かって反射させ、下方への集光性能が増大して、更に下方側を明るく良好に照らすことができるものとなる。
また、光源を覆うグローブが、着色部と、透明部とで構成されてなる浴室用ブラケット照明であって、グローブは有底筒形状をしており、着色部と透明部とが、底面に対して傾斜した面により接合されていることにより、容易に接着剤等で接合することができ、複雑な金型を必要とせず、コストを抑えて製造することができるものとなる。
【実施例】
【０００７】
以下、本発明の実施例を図面に基づいて説明する。
図１は、浴室内の壁面に設置されるブラケット照明の構成部材の分解斜視図であり、図２は、組み付けた状態の側面外観構成図であり、また図３は、組み付け状態の縦断面拡大構成図である。
【０００８】
図において、ブラケット照明１は、浴室の壁Ｗに固定される本体２と、この本体２に取り付けられる光源３と、光源３を覆うグローブ４で構成されている。
本体２の内周には、雌ネジを形成した雌ネジ部２ａが設けられており、中央部には、突出状にソケット部２ｂが設けられて、このソケット部２ｂに、白熱灯で構成される光源３を着脱可能に取り付けできるように構成されている。
【０００９】
また、グローブ４は、手前側の着色部６と、壁Ｗ側の透明部５が接合されて構成されている。
本例では、グローブ４は、全体として正面部６ｂを有する有底円筒状に形成されており、側面から見て、斜め直線状の分割面７で着色部６と透明部５が接合されている。即ち、着色部６と透明部５とが、底面に対して傾斜した面により接合されている。
なお、着色部６は、側面側から見て下部から上部に向かって面積が増大し、一方の透明部５は、上部から下部に向かって面積が増大するような形状となっている。
【００１０】
透明部５の壁Ｗ側には、外周に雄ネジを形成した雄ネジ部５ｃが突出状に設けられており、この雄ネジ部５ｃを図３に示すように、本体２の雌ネジ部２ａに螺合させて、着脱可能にグローブ４を本体２に取り付けできるものとなっている。
また、雄ネジ部５ｃと反対側の透明部５の分割面７側には、接合凸部５ｂが分割面全域に亘り突出形成されている。一方、着色部６の正面部６ｂと反対側の分割面７側には、接合凸部５ｂが挿着される凹み状の接合凹部６ｃが分割面全域に亘り形成されている。
【００１１】
なお、着色部６は、光源３からの光線の反射率の高い、例えば乳白色に形成されたものである。また、透明部５は、光線の透過率の高い透明素材で形成されている。
従って、着色部６と透明部５は、別々に簡単な金型で製造して、後に直線状の分割面７で接合して一体化させることができるものである。
【００１２】
図４に示すように、皿８内に、スポンジに浸せて接着剤９を入れておき、上面側より透明部５の接合凸部５ｂを接着剤９内に入れ込んで、容易かつ良好に接合凸部５ｂの全周に接着剤９を塗布することができ、接着剤９が均一に付着した接合凸部５ｂを、着色部６の接合凹部６ｃ内に挿入させて、良好に着色部６と透明部５を一体化させることができ、分割面７が直線状であるため、接合作業は極めて容易に行えるものである。
なお、接合状態では、着色部６内に接合凸部５ｂが隠れた状態となるため、接合凸部５ｂが視認されることがなく、極めてすっきりとした接合状態が得られるものである。
【００１３】
このように構成したブラケット照明１において、光源３を点灯させると、図５の作用図で示すように、光源３から上方へ向かった光は、着色部６で一部が反射されて下方側に向かうこととなり、透明部５の底側の面積は大であるため、大量の光線が下方側に出て、例えば図６に示すように、浴室１０の洗い場１２側の壁Ｗにブラケット照明１が取り付けられている場合には、下方側への光線量が多くなり、洗い場１２及びカウンター１３を明るく照らすことができ、洗い場１２側での作業がし易いものとなる。
また、ブラケット照明１の正面及び上面側は、着色部６で覆われているため、正面及び上面から出る光線は少なくなり、浴槽１１内で入浴している者に眩しさを感じさせることがないものとなる。
【００１４】
次に、図７に示すものは、ブラケット照明１を四角形状の有底筒状に形成したものであり、グローブ４を構成する着色部６と透明部５を、斜め直線状の分割面７で接合した状態では、グローブ４が立方体形状を成すように構成されており、本例においても、側面から見て、光線の反射率の高い着色部６は、下部から上部に向かって面積が増大し、また透明部５は、上部から下部に向かって面積が増大するような形状となっている。
【００１５】
本例においても、透明部５を通し下方側へ多くの光が向かい、下方側を明るく照らすことができるものとなり、着色部６は乳白色等に着色されているため、光線を反射して漏れる光の量は少なくなるものである。特に、着色部６の上面平面部６ｄは、面積の広い略水平な平面状を成しているため、広い上面平面部６ｄで多くの光線が反射されて、光線が下方へ向かって集光され、より下方側を明るく照らすことができるものとなる。
【００１６】
図８は、更なる変更例を示すものであり、図８のブラケット照明１は、逆三角形状の有底筒状に形成されたものである。本例においても、着色部６の上面平面部６ｄは、略水平な平面状となっているため、この部分で光を大量に反射し、下方側へ向かせることができ、透明部５を通して、下方側へ大量の光を指向させて、下方側を明るく照らすことができるものとなる。
【００１７】
本例においても、着色部６と透明部５は、側面から見て、斜め直線状の分割面７で接合されており、側面から見て、着色部６は下部から上部に向かって面積が増大し、透明部５は上部から下部に向かって面積が増大するものである。
【００１８】
次に、図９の変更例では、ブラケット照明１を三角形状の有底筒状に形成したものであり、本例では、透明部５の左右側面から光を左右方向へ多く出すことができ、下部側及び左右側を明るく照らすことができるものとなる。
【００１９】
本例においても、側面から見て、着色部６と透明部５は、斜め直線状の分割面７で接合されており、着色部６は下部から上部に向かって面積が増大し、透明部５は上部から下部に向かって面積が増大するように構成されている。
【図面の簡単な説明】
【００２０】
【図１】第１実施例の浴室用ブラケット照明の構成部材の分解斜視図である。
【図２】浴室用ブラケット照明の組み付け状態の側面外観構成図である。
【図３】浴室用ブラケット照明の縦断面拡大側面構成図である。
【図４】透明部に形成した接合凸部に均一に接着剤を塗布する作業状態の説明図である。
【図５】光源からの光の反射状態を示す作用説明側面構成図である。
【図６】浴室内の壁面に設置されたブラケット照明における光分布図である。
【図７】浴室用ブラケット照明を四角形状に形成した場合の変更例を示す斜視構成図である。
【図８】ブラケット照明を逆三角形状に形成した場合の変更例を示す斜視構成図である。
【図９】更にブラケット照明を三角形状に形成した場合の変更例を示す斜視構成図である。
【図１０】従来の浴室用ブラケット照明の側面外観構成図である。
【図１１】従来の浴室用ブラケット照明の半断面側面構成図である。
【符号の説明】
【００２１】
１  浴室用ブラケット照明
２  本体
２ａ  雌ネジ部
２ｂ  ソケット部
３  光源（白熱灯）
４  グローブ
５  透明部
５ａ  側面部
５ｂ  接合凸部
５ｃ  雄ネジ部
６  着色部
６ａ  側面部
６ｂ  正面部
６ｃ  接合凹部
６ｄ  上面平面部
７  分割面
８  皿
９  接着剤
１０  浴室
１２  洗い場
Ｗ  壁
【図１】
2005327639.tif 000003
【図２】
2005327639.tif 000004
【図３】
2005327639.tif 000005
【図４】
2005327639.tif 000006
【図５】
2005327639.tif 000007
【図６】
2005327639.tif 000008
【図７】
2005327639.tif 000009
【図８】
2005327639.tif 000010
【図９】
2005327639.tif 000011
【図１０】
2005327639.tif 000012
【図１１】
2005327639.tif 000013